(57)【要約】 【課題】  従来、ニットや繊維等で製作された手袋は素材内部で指が滑るため、極小ネジ、ボルト等を扱う時は手袋を外す必要があり、その結果として作業効率が低下するという問題があった。また、指を外部に露出する指出し手袋は、物品を直接指で触ることができるため作業効率が向上するが、指先を防護できない。本発明は素材内部で指が滑ることがなく、的確な作業を行うことのできる滑り止め付き手袋を提供する。【手段】  本発明の滑り止め付き手袋は、手袋の裏面における指の腹が当接する部分に滑り止めを施した手袋である。 【選択図】図１
2020056126.tif 000002
【特許請求の範囲】
【請求項１】
手袋の裏面における指の腹が当接する部分に滑り止めを施した手袋。
【請求項２】
少なくとも親指と人差し指に該当する部分に前記滑り止めを施した請求項１記載の手袋。
【請求項３】
少なくとも３本の指に該当する部分に前記滑り止めを施した請求項１記載の手袋。
【請求項４】
前記滑り止めが合成樹脂材である請求項１〜３のいずれかに記載の手袋。
【請求項５】
前記滑り止めが点粒状である請求項１〜４のいずれかに記載の手袋。
【発明の詳細な説明】
【技術分野】
【０００１】
この発明は、滑り止め付き手袋に関するものである。
【背景技術】
【０００２】
従来、ニットや繊維等で製作された手袋は素材内部で指が滑るため、極小ネジ、ボルト等を扱う時は手袋を外す必要があり、その結果として作業効率が低下するという問題があった。また、指を外部に露出する指出し手袋は、物品を直接指で触ることができるため作業効率が向上するが、指先を防護できない。
【０００３】
特許文献１には、５ゲージないし１５ゲージ編みした手袋の手のひら面に合成樹脂材で点粒状すべり止め加工２を施し、次にすべり止め効果を高めたい部分や、使用頻度が高く早く摩耗しやすいところに平面模様状のすべり止め加工３を施した作業用手袋が記載されている。本発明によれば、平たい手型で加工しているにも係らず、屈曲性に富む為、作業性が良く、また使用頻度が高いところや、すべり止め効果の特に必要な所は平面模様状凹凸加工が施されているため、すべり止め効果がよく、また点粒すべり止めと平面模様状凹凸加工と二重に加工してある為、丈夫である。しかしながら、着用者の手と手袋が接触する部分、つまり手袋の内部はなお滑りやすく、その結果として極小ネジ等を扱う時は手袋を外す必要がある。
【０００４】
特許文献２には、ポリ塩化ビニル製の手袋本体１の内部に多数のゴム粉２がそれぞれ分散して配置され、それらのうちいくつかのゴム粉を、その一部が露出部２ａとなって、手袋本体１の手のひら面１ａに露出し、これらのゴム粉の露出部が手のひら面から突出せず、手のひら面と面一状の平滑に埋め込まれる手袋が記載されている。本発明によれば、食器洗いなどの作業時においてゴム粉の露出部が、食器などの物品と接触しても、ゴム粉の露出部が引っ掛からず、移動不能に保持される。しかしながら、着用者の手と手袋が接触する部分、つまり手袋の内部はなお滑りやすく、その結果として極小ネジ等を扱う時は手袋を外す必要がある。
【先行技術文献】
【特許文献】
【０００５】
【特許文献１】特開平１１−２５６４１１号公報
【特許文献２】特開２０１５−２０９６２５号公報
【発明の概要】
【発明が解決しようとする課題】
【０００６】
本発明は素材内部で指が滑ることがなく、的確な作業を行うことのできる滑り止め付き手袋を提供する。
【課題を解決するための手段】
【０００７】
本発明の滑り止め付き手袋は、手袋の裏面における指の腹が当接する部分に滑り止めを施している。
【０００８】
少なくとも親指と人差し指に該当する部分に前記滑り止めを施したことが好ましい。
【０００９】
少なくとも３本の指に該当する部分に前記滑り止めを施したことが好ましい。
【００１０】
前記滑り止めが合成樹脂材であることが好ましい。前記滑り止めが点粒状であることが好ましい。
【発明の効果】
【００１１】
本発明に係る滑り止め付き手袋は、内部に滑り止め加工を施し的確な作業が手袋を着用したまま出来る。その結果として、本発明の手袋を着用した者の作業効率が向上する。
【図面の簡単な説明】
【００１２】
【図１】本発明の手袋の裏面における手のひら側の平面図（図１（１））および手袋の表面における手のひら側の平面図（図１（２））である。
【図２】図１（１）に示す手袋の部分拡大図（図２（１））および本発明の他の実施形態の手袋の裏面における手のひら側の平面図（図２（２））である。
【図３】本発明の手袋に用いられる滑り止めの拡大斜視図（図３（１））および部分拡大側面図（図３（２））である。
【図４】本発明の他の実施形態の手袋に用いられる滑り止めの拡大斜視図である。
【発明を実施するための形態】
【００１３】
以下、本発明に係る滑り止め付き手袋の実施形態を図面に基づいて説明する。
図１（１）は、本発明の手袋の裏面における手のひら側の平面図であり、手袋を構成する手袋本体１および滑り止め２が示されている。図１（２）は、手袋の表面における手のひら側の平面図である。
【００１４】
手袋の裏面１ａにおける親指と人差し指の腹が当接する部分のそれぞれに滑り止め２、２が施されている（図１（１）参照）。本実施形態では、親指と人差し指の腹が当接する部分にのみ滑り止め２を施したが、その他の指の腹が当接する部分に滑り止め２を施しても良い。ただし、後記するように、本発明は極小ネジ等を扱う際において的確な作業を行うためのものであるから、通常、このような小さなパーツ等を扱う際に親指と人差し指を使用することを考慮すれば、少なくとも親指と人差し指に該当する部分に滑り止め２を施せば足りる。また、より安全にパーツ等を扱うために少なくとも親指と人差し指と中指に該当する部分など、少なくとも３本の指に該当する部分に滑り止め２を施すこともあり得る（図２（２）参照）。
【００１５】
通常の使用時は、図１（２）に示すとおり、手袋の表面１ｂが外観に現れる。特に図示しないが、従来の手袋のように表面１ｂの適宜箇所に滑り止めを設けることも可能である。表面１ｂに滑り止めを設ければ、作業時に扱う物品と表面１ｂの滑り止めが接触するため、より滑り止めの効果を発揮する。
【００１６】
図２（１）は図１（１）に示す手袋の部分拡大図である。手袋本体１に滑り止め２が固定されているが、その固定方法としては接着、溶着その他の方法を採用することができる。本実施形態では、手袋本体１と滑り止め２を別体としたが、手袋本体１と滑り止め２を一体に成形することも可能である。滑り止め２の材質としては、シリコーン等の合成樹脂を用いることができるが、滑り止めとしての機能を果たすことができればその材質に格別の制限はない。滑り止め２の大きさと位置については指の腹をカバーできる大きさと位置であることが望ましいが、手袋の使用者の的確な作業を確保できるものあれば良い。
【００１７】
図３は本発明に用いられる滑り止め２の拡大斜視図（図３（１））および部分拡大側面図（図３（２））である。滑り止め２の表面には点粒状の突起２１が複数箇所にわたって設けられている。点粒状の突起２１により、滑り止め２の表面に凹凸が形成されて、手袋の内部で使用者の指と手袋との間の摩擦力が向上するため、素材内部で指が滑ることがない。その結果、極小ネジ、ボルト等を扱う時であっても手袋を外すことなく作業を続けることが可能となり、作業効率が向上する。
【００１８】
本実施形態では、滑り止め２の表面に点粒状の突起２１を設けたが、必ずしも点粒状の突起２１を設ける必要はなく、手袋内部で使用者の指が滑らない形状であれば良い。また、突起２１の数について格別の制限はなく、手袋の内部で使用者の指と手袋との間の摩擦力を向上できる数を確保できれば良い。
【００１９】
図４は本発明の他の実施形態の手袋に用いられる滑り止め２の拡大斜視図である。図４（１）に示す滑り止め２では、その表面に線状の突起２２が設けられている。線状の突起２２の本数について格別の制限はなく、手袋の内部で使用者の指と手袋との間の摩擦力を向上できる数を確保できれば良い。本実施形態では線状の突起を複数交差させて設けたが、必ずしもこのような形状にする必要はなく、例えば平行線を並べるだけの形にしても良い。
【００２０】
図４（２）に示す滑り止め２では、その表面に点粒状の突起２１と線状の突起２２が設けられている。突起２１と突起２２を組み合わせることにより、手袋内部における使用者の指と手袋との間の摩擦力をより強化することができる。  
【００２１】
本発明の手袋は作業用手袋に限らず、ゴルフ、野球用の手袋などのスポーツ用手袋に使用することもできる。
【符号の説明】
【００２２】
１      手袋本体
２      滑り止め
２１    点粒状の突起
２２    線状の突起
【図１】
2020056126.tif 000003
【図２】
2020056126.tif 000004
【図３】
2020056126.tif 000005
【図４】
2020056126.tif 000006